(57)【要約】【課題】本発明の目的は、視認性に優れ、低消費電力で、操作性の良い温水洗浄便座用リモコンを提供することにある。【解決手段】本発明では、リモコンには赤外線受光部のみ設け、本体側にあるセンサの出力の情報を利用することにより、リモコンの押しボタンに設けた照光部を、人体検知信号又は、及び、着座検知信号のタイミングに同期させて所定の時間、点灯又は点滅させるようにしたので、注意を引き易く視認性に優れ、低消費電力にできる。また、人体検知センサ出力に同期して特定の押しボタンに設けた照光部を点灯又は点滅させるようにしたので、その時点での操作すべきスイッチが限定され操作を誘導されることにより操作性が向上する。【選択図】  図１
2004285732.tif 000002
【特許請求の範囲】
【請求項１】
人の接近または着座を検知する人体検知センサと、前記人体検知センサの出力に応じて操作可能となる温水洗浄便座と、前記温水洗浄装置の操作を行う操作部及び近傍に照光部を設けた温水洗浄便座用リモコン装置とを有する温水洗浄便座システムにおいて、前記温水洗浄便座は前記人体検知センサの出力を送信する送信手段と、前記温水洗浄便座用リモコン装置は前記送信手段より送信させる人体検知センサ出力を受信する受信手段を有するとともに、前記温水洗浄便座用リモコン装置は前記人体検知センサ出力に同期して前記照明部を点灯又は点滅させることを特徴とする温水洗浄便座システム。
【請求項２】
請求項１に記載の温水洗浄便座システムにおいて、前記操作部の所定の操作ボタンのみに対応した照光部を点灯又は点滅させるようにしたことを特徴とする温水洗浄便座システム。
【発明の詳細な説明】
【０００１】
【発明の属する技術分野】
本発明は、温水洗浄便座システムに使用される温水洗浄便座用リモコンの押しボタンの照光方法に係り、特に視認性、及び、操作性に好適な点灯のタイミングと、点灯ボタンの選択に関する発明である。
【０００２】
【従来の技術】
従来の温水洗浄便座の操作用の押しボタンの照光はタイミング的な考慮は為されておらず、常時点灯するものが常態であった。（例えば、特許文献１参照。）
【０００３】
【特許文献１】
特開平１１−２００４５７号公報（第５図）
【０００４】
【発明が解決しようとする課題】
従来の温水洗浄便座用リモコンでは、押しボタン照光のタイミングが常時点灯、又は、それに準ずる方法であった為、注意を引きにくく、視認性が悪く、また消費電力が大きかった。また、操作に応じた変化も無い為、操作性に寄与するものでは無かった。
また、一般に人体検出手段に投光・受光部を備えた光学式センサが多く用いられるが、これをリモコン側に搭載すると投光・受光にエネルギーを消費するので特にバッテリー駆動によるリモコンにおいては消費電流が大きいと電池寿命が短くなる為、視認性の良い明るい照光や、常時継続的に照光することは殆ど不可能であった。
ここで、たとえばリモコンには赤外線受光部のみ設け、本体側にあるセンサの出力の情報を利用することにより、リモコンにセンサを設けるよりは節電が可能となる。
本発明は、上記問題を解決するためになされたもので、本発明の目的は、視認性に優れ、低消費電力で、操作性の良い温水洗浄便座用リモコンを提供することにあり、特にバッテリー駆動によるリモコンにおいても視認性の良い明るい照光を必要な時に十分に行えるようにするものである。
【０００５】
【課題を解決するための手段】
上記目的を達成するために請求項１は、人の接近または着座を検知する人体検知センサと、前記人体検知センサの出力に応じて操作可能となる温水洗浄便座と、前記温水洗浄装置の操作を行う操作部及び近傍に照光部を設けた温水洗浄便座用リモコン装置とを有する温水洗浄便座システムにおいて、前記温水洗浄便座は前記人体検知センサの出力を送信する送信手段と、前記温水洗浄便座用リモコン装置は前記送信手段より送信させる人体検知センサ出力を受信する受信手段を有するとともに、前記温水洗浄便座用リモコン装置は前記人体検知センサ出力に同期して前記照明部を点灯又は点滅させるようにしたので、バッテリー駆動によるリモコンにおいても注意を引き易く視認性の良い明るい照光を低消費電力にて実現できる。
【０００６】
請求項２は、人体検知センサ出力に同期して特定の押しボタンに設けた照光部を点灯又は点滅させるようにしたので、その時点での操作すべきスイッチが限定され操作を誘導されることにより操作性が向上する。
【０００７】
【発明の実施の形態】
本発明の第一の実施例について説明する。図３に温水洗浄便座用リモコン１の外観図を示す。ここで、押しボタン（止）３、押しボタン（おしり）５、押しボタン（ビデ）７、押しボタン（乾燥）９の各押しボタンはそれぞれ、動作停止、おしり洗浄開始、ビデ洗浄開始、乾燥開始、の各動作を温水洗浄便座本体に対して指令を発する為の操作入力を受け付けるものである。照光部（止）４、照光部（おしり）６、照光部（ビデ）８、照光部（ビデ）１０、はそれぞれ、押しボタン（止）３、押しボタン（おしり）５、押しボタン（ビデ）７、押しボタン（乾燥）９の各押しボタンに設けた照光部であり、照光ＬＥＤを駆動することにより照光する。赤外線投光部２ａは温水洗浄便座本体に、温水洗浄便座用リモコンにて操作された押しボタンに対応するリモコンスイッチ信号２１を送信する為のものである。
【０００８】
図４に温水洗浄便座用リモコン１のブロック図を示す。押しボタン（止）３、押しボタン（おしり）５、押しボタン（ビデ）７、押しボタン（乾燥）９の各押しボタンからのＯＮ／ＯＦＦ信号がリモコン入力処理回路１４ａに入ったのち、リモコン全体の制御を行うリモコンマイコン制御回路１５ａに伝えられる。リモコン赤外線受光回路１３ａは、温水洗浄便座本体から送られてくる人体検知信号１８、及び、着座検知信号１９を受けてリモコン入力処理回路１４ａを経て、リモコンマイコン制御回路１５ａに伝えるものである。リモコン赤外線受光回路１３ａはリモコン全体の消費電力を抑える為に受光動作時にのみにリモコン赤外線受光回路１３ａに電源を投入する、いわゆる間欠動作を行わせる。リモコン電源回路２３ａは、バッテリー２２の供給を受けて、リモコン各部の電源を供給するものである。リモコン赤外線投光回路１２ａは、リモコンマイコン制御回路１５ａから、リモコン出力処理回路１６ａを経た指令を受けて、リモコンスイッチ信号２１を出力するものである。リモコンマイコン制御回路１５ａから指令信号によりリモコン出力処理回路１６ａによって、照光部（止）４、照光部（おしり）６、照光部（ビデ）８、照光部（ビデ）１０が駆動される。
【０００９】
図５に温水洗浄便座本体３１の外観図を示す。本体赤外線受光部２ｂは温水洗浄便座用リモコン１より発せられたリモコンスイッチ信号２１を受信するものである。人体検知／着座センサ窓３３は、温水洗浄便座本体３１に接近する人体を検知する為の人体検知センサ４４、及び、温水洗浄便座本体３１の便座３４に人が着座したことを検知する為の着座検知センサ４５の収納部に設けられた赤外線透過窓である。便蓋３５は非使用時の蓋である。ノズル３６はおしり洗浄、及び、ビデ洗浄の温水を出すノズルである。
【００１０】
図６に温水洗浄便座本体３１のブロック図を示す。温水サーミスタ４１、便座サーミスタ４２、乾燥サーミスタ４３はそれぞれ、おしり洗浄・ビデ洗浄の温水の温度、便座の温度、乾燥用の温風の温度を検出する為のものであり、入力処理回路を経由して、本体全体の制御を行う本体マイコン制御回路１５ｂに伝えられる。人体検知センサ４４、及び、着座検知センサ４５はそれぞれ温水洗浄便座本体３１に接近したこと、及び、便座３４に人が着座したことを検出する為のものであり、入力処理回路１４ｂを経由して、本体全体の制御を行う本体マイコン制御回路１５ｂに伝えられる。本体赤外線受光回路１３ｂは温水洗浄便座用リモコン１から送られてくるリモコンスイッチ信号２１を受けて本体入力処理回路１４ｂを経由して、本体全体の制御を行う本体マイコン制御回路１５ｂに伝えられる。本体電源回路２３ｂは、ＡＣ１００Ｖ電源２０の供給を受けて、本体各部の電源を供給するものである。止水電磁弁５２はおしり洗浄、及び、ビデ洗浄用の温水を通水／遮断の切替えを行うものであり、本体出力処理回路１６ｂで本体マイコン制御回路１５ｂからの指令受けて駆動される。
【００１１】
流調モータ５３はおしり洗浄、及び、ビデ洗浄用の温水の流量制御を行うものであり、本体出力処理回路１６ｂで本体マイコン制御回路１５ｂからの指令受けて駆動される。乾燥モータ５５は乾燥用ファン駆動用モータであり、本体出力処理回路１６ｂで本体マイコン制御回路１５ｂからの指令受けて駆動される。温水ヒータ５６、便座ヒータ５７、乾燥ヒータ５８はそれぞれ、おしり洗浄・ビデ洗浄用の温水、便座、乾燥用温風を加熱する為のものであり、それぞれ出力処理回路で５０．本体マイコン制御部からの指令受けて駆動される。本体赤外線投光回路１２ｂは人体検知センサ４４、及び、着座検知センサからの入力信号に基づいて、リモコンに対して人体検知信号１８、及び、着座検知信号１９を送出するものである。
【００１２】
図７リモコン〜本体間の信号のやり取りに、両者の間でやり取りされる信号とその方向を示す。温水洗浄便座用リモコン１からはリモコン赤外線投光回路１２ａより赤外線信号としてリモコンスイッチ信号２１が温水洗浄便座本体３１に３本体赤外線受光部１３ｂを経由して伝えられる。また、温水洗浄便座本体３１からは本体赤外線投光回路１２ｂより赤外線信号として人体検知信号１８、及び、着座検知信号１９が温水洗浄便座用リモコン１にリモコン赤外線受光部１３ａを経由して伝えられる。
【００１３】
次に、温水洗浄便座用リモコン１、及び、温水洗浄便座本体３１の動作を図１タイミングチャート（１）、及び、図２タイミングチャート（２）に従って説明する。図１タイミングチャート（１）にて、時刻ｔ１の時点で、温水洗浄便座本体にて、温水洗浄便座本体に接近した人体を人体検知センサ４４で検知し、人体検知信号がＯＦＦ→ＯＮと変化して、温水洗浄便座用リモコン１に伝えられる。温水洗浄便座用リモコン１ではこれ以降、照光部（止）、照光部（おしり）、照光部（ビデ）、照光部（乾燥）、の４個の全ての照光部を点灯時間：τ１、点灯周期：Ｔ１にて点滅させる。次に、時刻ｔ２の時点で、温水洗浄便座本体にて、便座に着座した人体を着座検知センサ４５で検知し、着座検知信号がＯＦＦ→ＯＮと変化して、温水洗浄便座用リモコン１に伝えられる。温水洗浄便座用リモコン１ではこれ以降、照光部（止）、及び、照光部（乾燥）、の２個の照光部を消灯し、照光部（おしり）、照光部（ビデ）、の２個の照光部を点灯時間：τ２、点灯周期：Ｔ２にて点滅させる。
【００１４】
次に、図２タイミングチャート（２）は、図１タイミングチャート（１）に続く動作を表しており、時刻ｔ３の時点で温水洗浄便座用リモコン１の押しボタン（おしり）が押されると、それ以降、照光部（おしり）、照光部（ビデ）、の２個の照光部を消灯し、照光部（止）、及び、照光部（乾燥）、の２個の照光部を点滅させる。さらに、時刻ｔ４の時点で押しボタン（乾燥）が押されると、それ以降、照光部（おしり）、照光部（ビデ）、照光部（乾燥）の３個の照光部を消灯し、照光部（止）１個の照光部を点滅させる。照光は所定の時間が経過するか、人体検知信号、及び、着座検知信号がＯＦＦとなった時点で全て消灯させる。
【００１５】
次に本発明の第二の実施例について説明する。図８に大便器自動洗浄装置の外観図を示す。大便器洗浄装置７１は人体の接近を検知して、人体が離れていくタイミングでフラッシュバルブを開き、便器７２の洗浄を行うものである。図９リモコン〜大便器自動洗浄装置間の信号のやり取りに、両者の間でやり取りされる信号とその方向を示す。大便器洗浄装置７１から人体検知信号１８が赤外線信号によって温水洗浄便座用リモコン１に伝えられる。動作については第一の実施例に準ずるので省略する。
【００１６】
【発明の効果】
本発明によれば、温水洗浄便座本体に接近したり、便座に人が着座したタイミングに合わせて照光部が点滅を開始したり、照光するボタンが変化したりするのでリモコンが注意を引き易く、視認性が向上する。また、温水洗浄便座本体に接近しない時や、便座に人が着座していない時は照光しないので低消費電力のリモコンを提供することが可能となる。また、リモコンには赤外線受信部のみ設け、本体側にあるセンサの出力情報を利用するようにし、リモコン赤外線受光回路１３ａは秒単位の大きな周期の間欠動作で十分であるので、特にバッテリーで駆動するリモコンにおいては電池寿命上有利でありそのメリットは大きい。
【００１７】
また、便座に人が着座したタイミングに合わせて、照光部（おしり）、照光部（ビデ）、の２個の照光部をそれまでと異なる点灯時間、及び、点灯周期にて点滅させるようにする等したため、操作すべきスイッチを限定的に表示できるので操作性の良い温水洗浄便座用リモコンを提供することが可能になる。
また、大便器自動洗浄装置から人体検知信号を受けた場合も同様の効果を得ることができる。
【図面の簡単な説明】
【図１】本発明の動作の様子を示すタイミングチャート（１）である。
【図２】本発明の動作の様子を示すタイミングチャート（２）である。
【図３】本発明の構成を示す温水洗浄便座用リモコンの外観図である。
【図４】本発明の構成を示す温水洗浄便座用リモコンのブロック図である。
【図５】本発明の第一の実施例の温水洗浄便座本体の外観図である。
【図６】本発明の第一の実施例の温水洗浄便座本体のブロック図である。
【図７】本発明の第一の実施例のリモコン〜本体間の信号のやり取りを示す図である。
【図８】本発明の第二の実施例の大便器自動洗浄装置の外観図である。
【図９】本発明の第二の実施例のリモコン〜大便器自動洗浄装置間の信号のやり取りを示す図である。
【符号の説明】
１…温水洗浄便座用リモコン
２ａ…リモコン赤外線投光部
２ｂ…本体赤外線投光部
３…押しボタン（止）
４…照光部（止）
５…押しボタン（おしり）
６…照光部（おしり）
７…押しボタン（ビデ）
８…照光部（ビデ）
９…押しボタン（乾燥）
１０…照光部（乾燥）
１１…スイッチ入力回路
１２ａ…リモコン赤外線投光回路
１２ｂ…本体赤外線投光回路
１３ａ…リモコン赤外線受光回路
１３ｂ…本体赤外線受光回路
１４ａ…リモコン入力処理回路
１４ｂ…本体入力処理回路
１５ａ…リモコンマイコン制御回路
１５ｂ…本体マイコン制御回路
１６ａ…リモコン出力処理回路
１６ｂ…本体出力処理回路
１８…人体検知信号
１９…着座検知信号
２０…ＡＣ１００Ｖ電源
２１…リモコンスイッチ信号
２２…バッテリー
２３ａ…リモコン電源回路
２３ｂ…本体電源回路
３１…温水洗浄便座本体
３３…人体検知／着座検知センサ窓
３４…便座
３５…便蓋
３６…ノズル
４１…温水サーミスタ
４２…便座サーミスタ
４３…乾燥サーミスタ
４４…人体検知センサ
４５…着座検知センサ
５２…止水電磁弁
５３…流調モータ
５４…ノズル駆動モータ
５５…乾燥モータ
５６…温水ヒータ
５７…便座ヒータ
５８…乾燥ヒータ
７１…大便器自動洗浄装置
７２…大便器
【図１】
2004285732.tif 000003
【図２】
2004285732.tif 000004
【図３】
2004285732.tif 000005
【図４】
2004285732.tif 000006
【図５】
2004285732.tif 000007
【図６】
2004285732.tif 000008
【図７】
2004285732.tif 000009
【図８】
2004285732.tif 000010
【図９】
2004285732.tif 000011